(57)【要約】【課題】繊維製品の取り扱いに関する表示記号に合った処理コースや処理内容を使用者が簡単に選択することができる衣類処理装置を提供する。【解決手段】洗濯処理、脱水処理、及び乾燥処理の少なくともいずれか１つの処理と前記処理で行う行程内容とを設定し、設定した処理を実行する衣類処理装置１において、繊維製品の取り扱いに関する表示記号が選択される選択部と、表示記号に対応付けて設定可能な処理及び行程内容を記憶する記憶部４６ａと、選択部で選択された表示記号に対応する処理及び行程内容を記憶部４６ａから取得し、取得した処理及び行程内容の中から実行する処理及び行程内容を設定する制御部４６とを備える。【選択図】        図３
2017123913.tif 000002
【特許請求の範囲】
【請求項１】
洗濯処理、脱水処理、及び乾燥処理の少なくともいずれか１つの処理と前記処理で行う行程内容とを設定し、設定した前記処理を実行する衣類処理装置において、
繊維製品の取り扱いに関する表示記号が選択される選択部と、
前記表示記号に対応付けて設定可能な前記処理及び前記行程内容を記憶する記憶部と、
前記選択部で選択された前記表示記号に対応する前記処理及び前記行程内容を前記記憶部から取得し、取得した前記処理及び前記行程内容の中から実行する前記処理及び前記行程内容を設定する制御部とを備える衣類処理装置。
【請求項２】
前記記憶部から取得した前記処理又は前記行程内容を表示する表示部を備える請求項１に記載の衣類処理装置。
【請求項３】
前記行程内容として洗い時間、すすぎ回数、及び脱水時間を前記表示部に表示する請求項２に記載の衣類処理装置。
【請求項４】
前記選択部は、複数の前記表示記号を選択することができる請求項１〜３のいずれか1項に記載の衣類処理機。
【請求項５】
前記表示記号は、前記洗濯処理に対応付けられた複数の洗濯表示記号からなる洗濯表示記号群を備え、
前記選択部で前記洗濯表示記号群から複数の前記洗濯表示記号が選択されると、前記制御部は、選択された複数の前記洗濯表示記号から１の前記洗濯表示記号を抽出し、抽出した前記洗濯表示記号に対応する前記処理及び前記行程内容を前記記憶部から取得し、取得した前記処理及び前記行程内容の中から実行する前記処理及び前記行程内容を設定する請求項１〜４のいずれか1項に記載の衣類処理装置。
【請求項６】
前記表示記号は、前記乾燥処理に対応付けられた複数の乾燥表示記号からなる乾燥表示記号群を備え、
前記選択部で前記乾燥表示記号群から複数の前記乾燥表示記号が選択されると、前記制御部は、選択された複数の前記乾燥表示記号から１の前記乾燥表示記号を抽出し、抽出した前記乾燥表示記号に対応する前記処理及び前記行程内容を前記記憶部から取得し、取得した前記処理及び前記行程内容の中から実行する前記処理及び前記行程内容を設定する請求項１〜５のいずれか1項に記載の衣類処理装置。
【請求項７】
前記表示記号は、洗濯処理ができない記号を備え、
前記選択部で前記洗濯できない記号が選択されると、前記制御部は洗濯処理できないことを報知する請求項１〜６のいずれか１項に記載の衣類処理装置。
【請求項８】
前記表示記号は、乾燥処理ができない記号を備え、
前記選択部で前記乾燥できない記号が選択されると、前記制御部は乾燥処理できないことを報知する請求項１〜７のいずれか１項に記載の衣類処理装置。
【請求項９】
前記表示記号が、ＪＩＳ  Ｌ  ０００１に規定された複数の表示記号からなる第１表示記号群と、ＪＩＳ  Ｌ  ０２１７に規定された複数の表示記号からなる第２表示記号群とを備え、
前記選択部が前記第１表示記号群から前記表示記号を選択するモードと、前記第２表示記号群から前記表示記号を選択するモードとを切り替える切替部を備える請求項１〜８のいずれか１項に記載の衣類処理装置。
【発明の詳細な説明】
【技術分野】
【０００１】
本発明は、衣類処理装置に関する。
【背景技術】
【０００２】
洗濯機、乾燥機、洗濯乾燥機などの衣類に対して洗濯処理や脱水処理や乾燥処理を行う衣類処理装置では、衣類の材質に応じて予め設定された処理コースや使用者が設定した処理内容にしたがって様々な機械力で各種の処理を実行する。
【０００３】
このような衣類処理装置では、使用者が衣類の種類を判断しその判断に基づいて処理コースや処理内容を設定するが、設定した処理コースや処理内容が、衣類に対してどの程度の機械力があり、繊維製品の取り扱いに関する表示記号のどの記号に相当するのか分からない。そのため、使用者が、処理対象の衣類に対して適切な機械力の処理コースや処理内容を設定することが困難であるという問題がある。
【０００４】
２０１４年１０月２０日に公示されたＪＩＳ  L  ０００１：２０１４「繊維製品の取扱いに関する表示記号及びその表示方法」では、これまでのＪＩＳ  Ｌ  ０２１７：１９９５のように当該繊維製品の好ましい処理内容を指示する指示内容を表示するものではなく、回復不可能な損傷を起こさない最も厳しい処理・操作を示す上限情報を表示することになる。このように表示記号が示す情報が今後大きく変更されることもあり、使用者は、ますます適切な機械力の処理コースや処理内容を設定することが困難であるという問題がある。
【０００５】
なお、下記特許文献１には、衣類などに取り付けられた表示タグの識別コードから衣類情報を読み出し、当該衣類情報に基づいて洗濯装置を制御することが提案され、下記特許文献２には、商品取扱情報が記録された情報記録手段を有する商品タグによりその商品に応じた適切な洗濯機制御情報を取得して洗濯機を制御することが提案されているが、これらの従来技術では、高度な情報処理装置が必要となり製造コストがかかる問題がある。
【先行技術文献】
【特許文献】
【０００６】
【特許文献１】特開２００８−２８７５２５号公報
【特許文献２】特開２００２−１９６６７２号公報
【発明の概要】
【発明が解決しようとする課題】
【０００７】
そこで、繊維製品の取り扱いに関する表示記号に合った処理コースや処理内容を使用者が簡単に選択することができる衣類処理装置を提供することを目的とする。
【課題を解決するための手段】
【０００８】
本実施形態の衣類処理装置は、洗濯処理、脱水処理、及び乾燥処理の少なくともいずれか１つの処理と前記処理で行う行程内容とを設定し、設定した前記処理を実行する衣類処理装置において、繊維製品の取り扱いに関する表示記号が選択される選択部と、前記表示記号に対応付けて設定可能な前記処理及び前記行程内容を記憶する記憶部と、前記選択部で選択された前記表示記号に対応する前記処理及び前記行程内容を前記記憶部から取得し、取得した前記処理及び前記行程内容の中から実行する前記処理及び前記行程内容を設定する制御部とを備えるものである。
【図面の簡単な説明】
【０００９】
【図１】本発明の第１実施形態に係る洗濯機の縦断側面図である。
【図２】外蓋を開けた状態の洗濯機の斜視図である。
【図３】洗濯機の操作パネルの平面図である。
【図４】洗濯機の電気構成を示すブロック図である。
【図５】（ａ）洗濯表示記号群を示す図、（ｂ）脱水表示記号群を示す図、（ｃ）脱水表示記号群を示す図である。
【図６】洗濯表示記号Ｍ１３１に対応付けられた行程内容の一例を示す図である。
【図７】第１実施形態の第１画面を示す図である。
【図８】第１実施形態の第２画面を示す図である。
【図９】第１実施形態の第２画面を示す図である。
【図１０】第１実施形態の第３画面を示す図である。
【図１１】第１実施形態の第４画面を示す図である。
【図１２】第１実施形態の第５画面を示す図である。
【図１３】第１実施形態の第６画面を示す図である。
【図１４】第１実施形態の第７画面を示す図である。
【図１５】第２実施形態の第８画面を示す図である。
【図１６】第３実施形態の第２画面を示す図である。
【図１７】第３実施形態の第３画面を示す図である。
【図１８】第３実施形態の第４画面を示す図である。
【図１９】第３実施形態の変更例１の第３画面を示す図である。
【図２０】第３実施形態の変更例１の第３画面を示す図である。
【図２１】第３実施形態の変更例１の第４画面を示す図である。
【図２２】第３実施形態の変更例１の第４画面を示す図である。
【図２３】第３実施形態の変更例２の第９画面を示す図である。
【発明を実施するための形態】
【００１０】
（第１実施形態）
以下、本発明の第１実施形態について、図面を参照して説明する。
【００１１】
図１は、本発明の一実施形態に係る洗濯乾燥機の斜視図である。図２は、図１に示される洗濯乾燥機の正面図である。図１及び図２に示す本実施形態に係る洗濯機１は、縦軸形であり、洗濯処理機能と乾燥処理機能を備えた洗濯乾燥機である。なお、本実施形態では、衣類処理装置として縦軸型の洗濯乾燥機を例示して説明するが、衣類処理装置は、乾燥処理機能を備えない縦軸型の洗濯機や洗濯処理機能を備えない縦軸型の乾燥機であってもよく、また、ドラム式の洗濯機や洗濯機乾燥機や乾燥機であってもよい。
【００１２】
図１において、外箱２は矩形箱状をなしていて、この外箱２と、当該外箱２の上部に装着されたトップカバー３とにより、洗濯乾燥機の外殻が形成されている。外箱２の下面には脚部４が設けられている。外箱２の内部には、水槽５と、この水槽５内に配設された回転槽６とが設けられている。
【００１３】
これら水槽５と回転槽６は、共に有底円筒状をなしていて、それぞれの軸中心線が上下方向に指向する縦軸状に配置されている。水槽５は、吊り棒７ａを主体とする弾性吊持機構７を介して外箱２に弾性的に吊持されている。水槽５は、貯水が可能な構成となっている。
【００１４】
回転槽６の底部６ａは、プラスチックにより形成された主底部と鋼板製の底板部とから椀状に形成されている。この底部６ａの上部には円筒状の胴部６ｂが連結されている。この胴部６ｂはステンレス鋼板などの金属板により円筒状に形成されており、周壁部に多数の孔部８を有している。
【００１５】
回転槽６内には、図示しない洗濯物が収容される。回転槽６は、洗い時には洗濯槽として、脱水時には脱水槽として、そして乾燥時には乾燥槽として機能する。回転槽６は縦軸状の回転中心軸を回転中心として回転可能である。
【００１６】
回転槽６内の底部６ａの内部には撹拌体１０が回転可能に配設されている。この撹拌体１０の裏面にはポンプ羽根１０ａが形成されている。又、撹拌体１０と回転槽６の底部６ａとの間はポンプ室１０ｂを構成している。
【００１７】
前記水槽５の底部６ａには、排水口５ａが形成されており、この排水口５ａには、排水弁１１及び排水管１２が接続されている。さらに水槽５には、排水口５ａに連通して水位検知用のエアトラップ５ｂが形成されている。
【００１８】
水槽５の外底部にはモータ１３が配設されている。このモータ１３はアウターロータ形であり、モータ１３の内部にクラッチ１４が配設されている。クラッチ１４は、撹拌体１０に連結された撹拌軸１０ｃと回転槽６に連結された回転軸６ｃとを一体的に回転させる場合（回転槽・撹拌体連結モード）と、回転軸６ｃは固定して撹拌軸１０ｃのみを回転させる場合（撹拌体モード）とを切り替える構成となっている。また、クラッチ１４は、前記排水弁１１と共通の駆動源であるクラッチモータ（不図示）の動作によって排水弁１１の開閉と連動する。
【００１９】
水槽５の上面には、環状をなす槽カバー１８が設けられていて、この槽カバー１８に、二つ折りの内蓋１９が開閉可能に設けられている。内蓋１９は、回転槽６の上面開口部の上方に位置しており、透視可能である。
【００２０】
上記トップカバー３には、内蓋１９の上方に位置させて、回転槽６に対して洗濯物を出し入れするための洗濯物出入口２０（図２参照）が形成されているとともに、この洗濯物出入口２０を開閉する二つ折りの蓋２１が設けられている。この蓋２１も透視可能であり、前記内蓋１９及び当該蓋２１を閉じた状態でも、回転槽６内部を視認できるようになっている。
【００２１】
トップカバー３の後部には、乾燥用の温風供給装置２２（乾燥手段）が配設されている。この温風供給装置２２は、機外の空気を吸い込んで吐出部２２ａから回転槽６内に吐出するファン２３（図４参照）と、回転槽６内に吐出する空気を加熱するヒータ２４（図４参照）などを備えて構成されている。前記ファン２３及びヒータ２４により生成された温風は、前記吐出部２２ａから主に回転槽６内に供給された後、孔部８を通して、回転槽６と水槽５との間にも供給される。そして、水槽５内の温風は、詳しい温風経路は図示しないが、水槽５の側壁に形成された排出ダクト（図示せず）から外部に出て、一部は回転槽６内に戻され、残りは機外に排出されるようになっている。
【００２２】
トップカバー３の前部の上面には、図３に示すように、表示画面としての機能を有するタッチパネル式の操作表示部２５と、押し釦式の操作スイッチ２６，２７が設けられている。
【００２３】
操作表示部２５は、画像を表示する液晶ディスプレイの上面に透明電極で構成された抵抗膜方式のタッチパネルが設けられている。操作表示部２５は、各種選択、設定内容、運転状況、及び後述する繊維製品の取り扱いに関する表示記号を表示する表示部としても機能するとともに、表示された文字や記号、図形、パターンなどの表示部分を指で触れることにより、使用者が所望の条件を選択設定する操作スイッチ３０としても機能する。
【００２４】
操作スイッチ２６及び操作スイッチ２７は、電源入りスイッチ及び電源切りスイッチであり、使用者が洗濯機の電源を入り切りするものである。
【００２５】
電気的構成を示す図４において、制御装置４６は、マイクロコンピュータを主体に構成されたもので、洗濯機の作動全般を制御する制御手段として機能するようになっている。この制御装置４６には、入力側の機器として、操作表示部２５の操作スイッチ３０、スイッチ２６，２７、水槽５内の水位を検知する水位センサ４７、蓋２１の開閉（開放と閉鎖）を検知する蓋開閉センサ４８、モータ１３の回転速度を検知する回転センサ４９、モータ１３に流れる電流を検知する電流センサ５５が接続されている。
【００２６】
制御装置４６は、上記入力側の機器からの各入力信号、並びにメモリ４６ａに予め記憶された制御プログラムに基づいて、出力側の機器である、操作表示部２５、モータ１３、回転槽６内へ給水するための給水弁５０、排水弁１１及びクラッチ１４を作動させるクラッチモータ１５、ファン２３、ヒータ２４、ふろ水ポンプ５２、報知用のブザー５３を、それぞれ駆動回路５４を介して制御するようになっている。なお、この駆動回路５４はそれぞれ対応する機器の駆動回路を総称している。
【００２７】
本実施形態の洗濯機１は、洗濯コース（洗濯運転）、乾燥コース（乾燥運転）、及び洗濯・乾燥コース（洗濯・乾燥運転）が全自動コースとして設定されている。
【００２８】
洗濯コースは、洗い行程とすすぎ行程とを行う洗濯処理と、脱水行程を行う脱水処理とを順に実行するコースである。
【００２９】
洗濯機１では、洗い行程、すすぎ行程、及び脱水行程の行程内容が異なり回転槽６に収容された衣類に与える機械力（負荷）が異なる複数種類の洗濯コースが設定されており、例えば、「標準」、「つけおき」、「スピーディ」、「デリケート」、「毛布」の６つの洗濯コースが設定されている。
【００３０】
乾燥コースは、乾燥処理（乾燥行程）を実行するコースであり、該乾燥処理で実行される乾燥行程の行程内容が異なる複数種類のコースが設定されており、例えば、「標準」、「アイロン」、「念入り」、「タイマー」、「そのまま（２時間）」の６つの乾燥コースが設定されている。乾燥コースのうち、「標準」、「アイロン」及び「念入り」は、排気温度が６０℃より高温となる高温乾燥を行い、「タイマー」及び「そのまま（２時間）」は、排気温度が６０℃以下となる低温乾燥を行う。
【００３１】
洗濯・乾燥コースは、洗濯処理（洗い行程及びすすぎ行程）、脱水処理（脱水行程）、及び乾燥処理（乾燥行程）を順に実行するコースであり、上記した洗濯コースと乾燥コースとを組み合わせて設定されるコースである。
【００３２】
また、洗濯機１では、上記した全自動コース以外にも、洗い行程やすすぎ行程における水流の強弱や、洗い行程や脱水行程の実行時間や、すすぎ行程の繰り返し回数などを変更して各行程において運転強度（衣類に与える機械力）を使用者が任意に設定するマニュアル運転も設定することができる。
【００３３】
このような洗濯機１では、ＪＩＳ  L  ０００１：２０１４に規定された繊維製品の取扱いに関する表示記号（以下、単に「表示記号」ということもある）が、洗濯機１で実行する処理とその処理で行う行程内容に対応付けて制御装置４６に設けられたメモリ４６ａに記憶されている。なお、以下に述べる「記号番号」とは、ＪＩＳ  L  ０００１：２０１４において表示記号毎に規定された番号をいう。
【００３４】
詳細には、図５（ａ）に例示するように、記号番号１４０，１３０，１４１，１３１，１４２，１３２，１１０，１００の複数の洗濯表示記号Ｍ１４０，Ｍ１３０，Ｍ１４１，Ｍ１３１，Ｍ１４２，Ｍ１３２，Ｍ１１０，Ｍ１００からなる洗濯表示記号群ＭＡが洗濯処理に対応付けてメモリ４６ａに記憶されている。
【００３５】
更に、各洗濯表示記号Ｍ１４０，Ｍ１３０，Ｍ１４１，Ｍ１３１，Ｍ１４２，Ｍ１３２，Ｍ１１０，Ｍ１００には、洗濯コースと、洗い行程及びすすぎ行程の内容とが、設定可能なコース及び行程内容として対応付けられてメモリ４６ａに記憶されている。
【００３６】
脱水処理には、図５（ｂ）に例示するように、記号番号４４０，４４５，４３０，４３５，４２０，４２５，４１０，４１５の複数の脱水表示記号Ｍ４４０，Ｍ４４５，Ｍ４３０，Ｍ４３５，Ｍ４２０，Ｍ４２５，Ｍ４１０，Ｍ４１５からなる脱水表示記号群ＭＢが対応付けてメモリ４６ａに記憶されるとともに、更に、脱水表示記号毎に設定可能な洗濯コース及び脱水行程の内容とが対応付けられてメモリ４６ａに記憶されている。
【００３７】
乾燥処理には、図５（ｃ）に例示するように、記号番号３２０，３１０，３００の複数のタンブル乾燥表示記号Ｍ３２０，Ｍ３１０，Ｍ３００からなるタンブル乾燥表示記号群ＭＣが対応付けてメモリ４６ａに記憶されるとともに、更に、乾燥表示記号毎に設定可能な乾燥コース及び乾燥行程の内容とが対応付けられてメモリ４６ａに記憶されている。
【００３８】
ここで、いくつか具体例を挙げると、洗濯表示記号Ｍ１４０には、設定可能な洗濯コースとして、「標準」、「つけおき」、「スピーディ」、「デリケート」、「毛布」が対応付けられ、洗濯処理（洗い行程及びすすぎ行程）において設定可能な行程内容として、水流「「強」「やや強」「標準」「やや弱」「弱」」、洗い時間「１〜１２分」、すすぎ回数「１〜４回」、ふろ水「使用可能」が対応付けられている。洗濯表示記号Ｍ１３１には、設定可能な洗濯コースとして、「標準」、「スピーディ」、「デリケート」、「毛布」が対応付けられ、洗濯処理において設定可能な行程内容として、図６に示すような洗い行程及びすすぎ行程における水流と洗い行程の洗い時間とすすぎ行程のすすぎ回数との組合せが対応付けられ、更に、ふろ水「使用不可」が対応付けられている。また、洗濯表示記号Ｍ１００には、洗濯処理ができない記号であり、いずれの洗濯コースも対応付けられていない。
【００３９】
脱水表示記号Ｍ４２０，Ｍ４２５には、設定可能な洗濯コースとして「スピーディ」、「デリケート」が対応付けられ、脱水行程において設定可能な行程内容として、脱水時間「１〜４分」が対応付けられている。また、脱水表示記号Ｍ４４０，Ｍ４４５には、設定可能な洗濯コースとして「標準」、「つけおき」、「スピーディ」、「デリケート」、「毛布」が対応付けられ、脱水行程において設定可能な行程内容として、脱水時間「１〜９分」が対応付けられている。
【００４０】
タンブル乾燥表示記号Ｍ３２０には、設定可能な洗濯コースとして「標準」、「アイロン」、「念入り」、「タイマー」、「そのまま（２時間）」が対応付けられ、乾燥行程において設定可能な行程内容として上記した「高温乾燥」が対応付けられている。タンブル乾燥表示記号Ｍ３１０には、設定可能な洗濯コースとして「タイマー」及び「そのまま（２時間）」が対応付けられ、乾燥行程において設定可能な行程内容として上記した「低温乾燥」が対応付けられている。また、乾燥表示記号Ｍ３００には、乾燥処理ができない記号であり、いずれの乾燥コースも対応付けられていない。
【００４１】
次に、上記構成の洗濯機１の代表的な動作について説明する。
【００４２】
操作スイッチ（電源入りスイッチ）２６が押圧操作された電源投入時の初期状態では、制御装置４６は、操作表示部２５が有する液晶ディスプレイに図７に示すような初期画面を表示する。この初期画面上には、「コースを選ぶ」ボタンＢ１、「洗濯物の取扱表示から選ぶ」ボタンＢ２、「やりたいことから選ぶ」ボタンＢ３が表示される。
【００４３】
そして、使用者が、「洗濯物の取扱表示から選ぶ」ボタンＢ２をタッチ操作すると、制御装置４６は、図８に示すように、洗濯表示記号群ＭＡ、脱水表示記号群ＭＢ、及びタンブル乾燥表示記号群ＭＣを表示した第２画面が操作表示部２５に表れる。
【００４４】
第２画面に表示された各表示記号は、それぞれタッチ操作によって選択可能となっている。また、第２画面には、表示記号以外にも「設定」ボタンＢ５、及び「キャンセル」ボタンＢ６が表示されている。そして、制御装置４６は、第２画面を表示すると、使用者が表示記号群ＭＡ、ＭＢ、ＭＣから表示記号を選択するのを待つ。
【００４５】
そして、使用者は、第２画面に表示された表示記号群ＭＡ、ＭＢ、ＭＣから洗濯対象の衣類に付された表示記号をタッチ操作により選択する。選択した表示記号は図９に示すように反転表示などハイライト表示されても良い。ここでは、一例として、洗濯表示記号Ｍ１４０、脱水表示記号Ｍ４４０、及びタンブル乾燥表示記号Ｍ３２０を選択した場合について説明する。
【００４６】
なお、図８に例示する第２画面では、１又は複数の表示記号を選択することができる。複数の表示記号を選択する場合として、上記のように異なる表示記号群からそれぞれ１の表示記号を選択したり、同一の表示記号群から複数の表示記号を選択したり、あるいは、異なる表示記号群からそれぞれ１又は複数の表示記号を選択することができる。
【００４７】
表示記号の選択が終わり使用者が「設定」ボタンＢ５をタッチ操作すると、選択した表示記号Ｍ１４０、Ｍ４４０、Ｍ３２０が設定される。すると、制御装置４６は、選択された表示記号Ｍ１４０、Ｍ４４０、Ｍ３２０に対応する処理及び行程内容をメモリ４６ａから取得し、第２画面において選択された表示記号に適合するコースを示す第３画面を操作表示部２５に表示する（図１０参照）。第３画面には、選択された表示記号Ｍ１４０、Ｍ４４０、Ｍ３２０に対応付けてメモリ４６ａに記憶したコースが、タッチ操作によって選択可能に表示されるとともに、選択されたコースに対応する行程内容が表示される。
【００４８】
詳細には、第２画面において洗濯表示記号及び脱水表示記号が選択されると、制御装置４６は、洗濯表示記号に対応付けられた洗濯コースと、脱水表示記号に対応付けられた洗濯コースとの間で重複する洗濯コースを、第２画面において選択された表示記号に適合するコースとして第３画面に表示する。この例では、第２画面において、洗濯表示記号Ｍ１４０、脱水表示記号Ｍ４４０、及びタンブル乾燥表示記号Ｍ３２０が選択されたため、洗濯表示記号Ｍ１４０に対応付けられた「標準」、「つけおき」、「スピーディ」、「デリケート」及び「毛布」の洗濯コースと、脱水表示記号Ｍ４４０に対応付けられた「標準」、「つけおき」、「スピーディ」、「デリケート」及び「毛布」の洗濯コースとの間で重複する「標準」、「つけおき」、「スピーディ」、「デリケート」及び「毛布」の洗濯コースと、タンブル乾燥表示記号Ｍ３２０に対応付けられた「標準」、「アイロン」、「念入り」、「タイマー」、「そのまま（２時間）」の乾燥コースが第３画面に表示される。また、図１０に示す第３画面には、洗濯コース及び乾燥コース以外にも、選択されたコースに対応付けられた洗い行程、すすぎ行程、及び脱水行程の行程内容、この例では、洗い時間、すすぎ回数及び脱水時間が表示される。ここで、洗い時間、すすぎ回数、及び脱水時間は、表示記号Ｍ１４０に対応付けられた行程内容のうち、予め定められた１の行程内容（ここでは、洗い時間が「８分」、すすぎ回数「２回」、脱水時間「７分」）が初期条件として設定され、これが表示される。また、第３画面には、上記の行程内容以外にも「設定」ボタンＢ５、及び「キャンセル」ボタンＢ６が表示されている。そして、制御装置４６は、第３画面を表示すると、表示した洗濯コース及び乾燥コースからいずれか少なくとも１つのコースを使用者が選択するのを待つ。なお、操作表示部２５に表示する行程内容は、上記した洗い時間、すすぎ回数、脱水時間に限らず、水流や水位など任意の行程内容を表示することができる。
【００４９】
そして、使用者が、洗濯・乾燥コースを希望する場合、図１０に示す第３画面に表示された洗濯コース及び乾燥コースからそれぞれ１つずつ希望のコースを選択し、洗濯コースを希望する場合、第３画面に表示された洗濯コースから希望のコースを選択し、乾燥コースを希望する場合、第３画面に表示された乾燥コースから希望のコースを選択する。その際、コース毎に行程内容の初期条件を異ならせて、使用者がコースを切り替える毎に操作表示部２５に表示された洗い行程、すすぎ行程、及び脱水行程の行程内容（洗い時間、すすぎ回数及び脱水時間）も選択されたコースに対応する行程内容に切り替わっても良い。
その後、「設定」ボタンＢ５をタッチ操作することで選択したコースが設定される。なお、洗濯コース及び乾燥コースの選択は、第３画面に表示された洗濯コース及び乾燥コースをタッチ操作により行うことができ、選択した洗濯コース及び乾燥コースはハイライト表示されても良い。
【００５０】
例えば、使用者が、洗濯・乾燥コースとして「標準」コース及び「念入り」コースを希望する場合、第３画面に表示された「標準」コース及び「念入り」コースを選択した後、「設定」ボタンＢ５をタッチ操作すると、選択したコースが設定され、制御装置４６は、図１１に例示する第４画面を操作表示部２５に表示する。
【００５１】
第４画面には、第２画面において選択された表示記号Ｍ１４０に対応付けてメモリ４６ａに記憶した洗い行程及びすすぎ行程の内容の少なくとも一部がタッチ操作によって選択可能に表示される。この例では、図１１に示すように表示記号Ｍ１４０に対応付けられた行程内容のうち水流及びふろ水に関する行程内容が表示される。具体的には、表示記号Ｍ１４０に対応付けられた「強」「やや強」「標準」「やや弱」及び「弱」の水流と、ふろ水を使用する行程とが第４画面として表示される。また、第４画面には、洗い時間、すすぎ回数、及び脱水時間が表示されるが、これらの行程内容は、表示記号Ｍ１４０に対応付けられた行程内容のうち、予め定められた１の行程内容が初期条件として表示される。
【００５２】
また、図１１に示す第４画面には、上記した行程内容以外にも「設定」ボタンＢ５、及び「キャンセル」ボタンＢ６が表示されている。そして、制御装置４６は、第４画面を表示すると、表示した水流及びふろ水に関する行程内容から１の水流とふろ水を使用する行程を使用者が選択するのを待つ。
【００５３】
そして、使用者が、図１１に示す第４画面において洗い行程及びすすぎ行程における水流とふろ水の有無をタッチ操作により選択した後、「設定」ボタンＢ５をタッチ操作すると、選択したコースが設定される。すると、制御装置４６は、図１２に例示するような、「洗い、すすぎ、脱水、タイヤ乾燥変更」ボタンＢ７、「スタート／一時停止」ボタンＢ８、及び「戻る」ボタンＢ９を表示する第５画面を操作表示部２５に表示し、使用者からのタッチ操作を待つ。
【００５４】
そして、図１２に示す第５画面において、使用者が、「スタート／一時停止」ボタンＢ８をタッチ操作すると、制御装置４６は設定したコース及び行程内容に基づいて洗濯機１の運転が開始する。また、使用者が、第５画面において「洗い、すすぎ、脱水、タイヤ乾燥変更」ボタンＢ７をタッチ操作すると、制御装置４６は、図１３に示す第６画面を操作表示部２５に表示する。
【００５５】
図１３に示す第６画面には、第２画面において使用者が選択した表示記号に対応付けられた処理、ここでは、表示記号Ｍ１４０、Ｍ４４０、及びＭ３２０に対応付けられた洗濯処理（洗い行程及びすすぎ行程）、脱水処理（脱水行程）、及び乾燥処理（乾燥行程）が、タッチ操作によって選択可能に表示され、使用者が内容を変更する行程を選択するようになる。更に、第６画面には、内容が変更可能な行程以外にも「設定」ボタンＢ５及び「キャンセル」ボタンＢ６が表示される。
【００５６】
そして、使用者は、第６画面に表示された行程から内容を変更する１又は複数の行程をタッチ操作により選択し、その後、「設定」ボタンＢ５をタッチ操作することで内容を変更する行程が設定される。
【００５７】
例えば、使用者が、行程内容を変更する行程として、洗い行程及びすすぎ行程を選択した後、「設定」ボタンＢ５をタッチ操作すると、選択した行程（ここでは洗い行程及びすすぎ行程）が設定され、制御装置４６は、図１４に例示する第７画面を操作表示部２５に表示する。
【００５８】
第７画面には、第２画面において選択された表示記号Ｍ１４０に対応付けられた洗い行程及びすすぎ行程の内容のうち、洗い時間「１〜１２分」及びすすぎ回数「１〜４回」がタッチ操作によって選択可能に表示される。また、図１４に示す第７画面には、水流及びふろ水に関する行程内容以外にも「設定」ボタンＢ５、及び「キャンセル」ボタンＢ６が表示されている。
【００５９】
なお、この例では、第７画面において、洗い時間及びすすぎ回数を操作表示部２５に同時に表示し、一度に洗い時間とすすぎ回数を選択するように構成したが、例えば、洗い時間を表示しこれを選択設定した後に、すすぎ回数を表示しこれを選択設定するなど、洗い時間とすすぎ回数とを分けて操作表示部２５に表示させて選択設定するように構成してもよい。
【００６０】
そして、制御装置４６は、第７画面を表示すると、表示した洗い時間及びすすぎ回数に関する行程内容から１の洗い時間と１のすすぎ回数を使用者が選択するのを待つ。
【００６１】
そして、使用者が、図１４に示す第７画面において洗い時間及びすすぎ回数をタッチ操作により選択した後、「設定」ボタンＢ５をタッチ操作すると、選択した洗い時間及びすすぎ回数が設定される。
【００６２】
すると、制御装置４６は、図１２に例示する第５画面を操作表示部２５に表示し、使用者からのタッチ操作を待つ。そして、使用者が、「スタート／一時停止」ボタンＢ８をタッチ操作すると、制御装置４６は設定したコース及び行程内容に基づいて洗濯機１の運転が開始する。
【００６３】
以上のような本実施形態の洗濯機１では、洗濯対象の衣類に付された表示記号を設定すると、設定した表示記号に対応する処理とその処理において実行可能な行程内容が、操作表示部２５に表示され、選択設定されるようになっているため、使用者が衣類に適合した処理及び行程内容を簡単に選択設定することができる。
【００６４】
また、本実施形態では、選択設定された処理及び行程内容が操作表示部２５に表示されるため、実行する処理及び行程内容を使用者が確認することができる。
【００６５】
（第１実施形態の変更例）
上記した第１実施形態では、表示記号としてＪＩＳ  Ｌ  ０００１に規定された表示記号を採用する場合について説明したが、表示記号としてＪＩＳ  Ｌ  ０２１７などの他の規格に基づく表示記号であってもよい。また、図８に示す第２画面に表示切替スイッチを設け複数の規格に基づく表示記号を相互に関連づけてメモリ４６ａに記憶させ、表示切替スイッチなどの操作によって異なる複数の規格に基づく表示記号を操作表示部２５に切り替えて表示させてもよい。
【００６６】
（第２実施形態）
次に、第２実施形態について図１５を参照して説明する。なお、第１実施形態と同一の部分には説明は省略し、異なる部分について説明する。
【００６７】
上記した第１実施形態では、図８に示す第２画面において、洗濯表示記号Ｍ１４０、脱水表示記号Ｍ４４０、及びタンブル乾燥表示記号Ｍ３２０を選択した場合について説明したが、この実施形態では、第２画面において洗濯表示記号Ｍ１４０及び脱水表示記号Ｍ４４０を選択したが、タンブル乾燥表示記号群ＭＣから表示記号を選択しなかった場合について説明する。
【００６８】
第２画面において洗濯表示記号Ｍ１４０及び脱水表示記号Ｍ４４０を選択した後、使用者が「設定」ボタンＢ５をタッチ操作すると、選択した表示記号Ｍ１４０及びＭ４４０が設定され、制御装置４６は、図１５に示すような第８画面を操作表示部２５に表示する。
【００６９】
この第８画面には、衣類に記載されている表示記号を漏れ無く全て選択したことを確認するメッセージと、「Ｙｅｓ」ボタンＢ１０と、「Ｎｏ」ボタンＢ１１が操作表示部２５に表示される。そして、「Ｎｏ」ボタンＢ１１がタッチ操作されると、制御装置４６は、図８に示す第２画面に戻り表示記号の選択を受け付ける。一方、「Ｙｅｓ」ボタンＢ１０がタッチ操作されると、第３画面において、選択された表示記号に対応付けられたコースと、選択されなかった表示記号群に対応付けられた処理について全てのコースが表示される。この例では、表示記号Ｍ１４０及びＭ４４０に対応付けられた「標準」、「つけおき」、「スピーディ」、「デリケート」及び「毛布」の洗濯コースと、選択されなかったタンブル乾燥表示記号群ＭＣに対応付けられた乾燥処理の全てのコース（この例では、「標準」、「アイロン」、「念入り」、「タイマー」、「そのまま（２時間）」）が操作表示部２５に表示される。
【００７０】
このような実施形態では、使用者に表示記号の選択漏れを無くすことができ、より正確に衣類に適合した処理及び行程内容を簡単に選択設定することができる。なお、その他の構成及び作用効果は上記した第１実施形態と同様である。
【００７１】
（第３実施形態）
次に、第３実施形態について図１６〜１８を参照して説明する。なお、第１実施形態と同一の部分には説明は省略し、異なる部分について説明する。
【００７２】
上記した第１実施形態では、図８に示す第２画面において、洗濯表示記号Ｍ１４０、脱水表示記号Ｍ４４０、及びタンブル乾燥表示記号Ｍ３２０を選択した場合について説明したが、この実施形態では、第２画面において洗濯表示記号Ｍ１４０、Ｍ１３１、脱水表示記号Ｍ４４５、タンブル乾燥表示記号Ｍ３２０、Ｍ３００を選択した場合について説明する。
【００７３】
図１６に示すように、第２画面において洗濯表示記号Ｍ１４０、Ｍ１３１、脱水表示記号Ｍ４４５、タンブル乾燥表示記号Ｍ３２０、Ｍ３００を選択した後、使用者が「設定」ボタンＢ５をタッチ操作すると、選択した表示記号Ｍ１４０、Ｍ１３１、Ｍ４４５、Ｍ３２０、及びＭ３００が設定される。すると、制御装置４６は、選択された表示記号Ｍ１４０、Ｍ１３１、Ｍ４４５、Ｍ３２０、及びＭ３００に対応する処理及び行程内容をメモリ４６ａから取得し、図１７に示すような第２画面において選択された表示記号に適合したコースを示す第３画面を操作表示部２５に表示する。
【００７４】
具体的には、本実施形態のように洗濯表示記号群ＭＡから複数の洗濯表示記号Ｍ１４０、Ｍ１３１が選択設定されている場合、制御装置４６は、選択された複数の洗濯表示記号のうち、洗濯処理可能な衣類に与える機械力（負荷）及び洗濯水の温度が最も小さい洗濯表示記号を抽出し、抽出した洗濯表示記号に対応付けられた洗濯コースと、脱水表示記号に対応付けられた洗濯コースとの間で重複する洗濯コースを、第２画面において選択された表示記号に適合するコースとして第３画面に表示する。
【００７５】
詳細には、洗濯表示記号群ＭＡを構成する洗濯表示記号のうち、洗濯表示記号Ｍ１４０は、洗濯表示記号Ｍ１４１、Ｍ１４２、Ｍ１１０よりも洗濯処理可能な機械力が大きく、洗濯表示記号Ｍ１４０，Ｍ１４１，Ｍ１４２，Ｍ１１０の順で機械力が漸次弱くなる。洗濯表示記号Ｍ１３０は、洗濯表示記号Ｍ１３１、Ｍ１３２、Ｍ１１０よりも洗濯処理可能な機械力が大きく、洗濯表示記号Ｍ１３０，Ｍ１３１，Ｍ１３２，Ｍ１３０の順で機械力が漸次弱くなる。また、洗濯表示記号Ｍ１４０、Ｍ１４１、Ｍ１４２、Ｍ１１０は、洗濯表示記号Ｍ１３０、Ｍ１３１、Ｍ１３２より洗濯処理可能な洗濯水の温度が高い。
【００７６】
脱水表示記号群ＭＢを構成する脱水表示記号のうち、脱水表示記号Ｍ４４０は、脱水表示記号Ｍ４２０，Ｍ４３０，Ｍ４１０よりも衣類に与える機械力が強く、脱水表示記号Ｍ４４０，Ｍ４２０，Ｍ４３０，Ｍ４１０の順で機械力が漸次弱くなる。脱水表示記号Ｍ４４５は、脱水表示記号Ｍ４２５、Ｍ４３５、Ｍ４１５よりも衣類に与える機械力が強く、洗濯表示記号Ｍ４４５、Ｍ４２５、Ｍ４３５、Ｍ４１５の順で機械力が漸次弱くなる。
【００７７】
タンブル乾燥表示記号群ＭＣを構成するタンブル乾燥表示記号のうち、タンブル乾燥表示記号Ｍ３２０は、タンブル乾燥表示記号Ｍ３１０，Ｍ３００よりも衣類に与える機械力が強く、タンブル乾燥表示記号Ｍ３２０，Ｍ３１０，M３００の順で機械力が漸次弱くなる。なお、タンブル乾燥表示記号Ｍ３００はタンブル乾燥処理ができないことを示す記号である。
【００７８】
そのため、本実施形態では、選択設定された複数の洗濯表示記号Ｍ１４０、Ｍ１３１のうち機械力及び洗濯水の温度が最も低い洗濯表示記号Ｍ１３１が抽出される。そして、抽出した洗濯表示記号Ｍ１３１に対応付けられた「標準」、「スピーディ」、「デリケート」、「毛布」の洗濯コースと、脱水表示記号Ｍ４４５に対応付けられた「標準」、「つけおき」、「スピーディ」、「デリケート」及び「毛布」の洗濯コースとの間で重複する「標準」、「スピーディ」、「デリケート」及び「毛布」の洗濯コースが、第２画面において選択された表示記号に適合したコースとして第３画面に表示される（図１７参照）。
【００７９】
また、本実施形態では、選択設定された複数のタンブル乾燥表示記号Ｍ３２０，M３００のうち機械力が最も小さいタンブル乾燥表示記号Ｍ３００が抽出される。タンブル乾燥表示記号Ｍ３００には、対応付けられた乾燥コースが存在しないため、図１７に示すように第３画面に乾燥コースは表示されず、その代わりに、乾燥処理できないことを報知する表示が第３画面に表示される。
【００８０】
そして、使用者が、図１７に示す第３画面から洗濯コースとして「スピーディ」を選択した後、「設定」ボタンＢ５をタッチ操作すると、選択したコースが設定され、制御装置４６は、第４画面として表示記号Ｍ１３１に対応付けられた「やや強」「標準」「やや弱」及び「弱」の水流と、ふろ水を使用できないことを報知する表示を操作表示部２５に表示する（図１８参照）。
【００８１】
そして、使用者が、図１８に示す第４画面において洗い行程及びすすぎ行程における水流をタッチ操作により選択した後、「設定」ボタンＢ５をタッチ操作すると、選択した水流が設定され、制御装置４６は、図１２に示す第５画面を操作表示部２５に表示し、使用者からのタッチ操作を待つ。そして、使用者が、「スタート／一時停止」ボタンＢ８をタッチ操作すると、制御装置４６は設定したコース及び行程内容に基づいて洗濯機１の運転が開始する。
【００８２】
なお、本実施形態では、洗濯表示記号群ＭＡから複数の洗濯表示記号が選択設定されると、機械力や洗濯水の温度が最も低い洗濯表示記号を１つ抽出し、抽出した洗濯表示記号に対応付けられた洗濯コースや洗濯処理の行程内容をメモリ４６ａから取得し操作表示部２５に表示させたが、選択設定された複数の洗濯表示記号に対応付けられた洗濯コース及び行程内容との間で重複する１又は複数の洗濯コース及び行程内容を使用者が選択可能なように操作表示部２５に表示させてもよい。
【００８３】
また、本実施形態では、タンブル乾燥表示記号群ＭＣから複数のタンブル乾燥表示記号が選択設定されると、機械力が最も低いタンブル乾燥表示記号を１つ抽出し、抽出したタンブル乾燥表示記号に対応付けられた乾燥コースや乾燥処理の行程内容をメモリ４６ａから取得し操作表示部２５に表示させたが、選択設定された複数のタンブル乾燥表示記号に対応付けられた乾燥コース及び行程内容との間で重複する乾燥コース及び行程内容を操作表示部２５に表示させてもよい。
【００８４】
このような実施形態では、表示記号の異なる衣類をまとめて洗濯処理あるいは乾燥処理する場合でも、全ての衣類に適合した処理及び行程内容を簡単に選択設定することができる。しかも、洗濯対象の衣類の中にタンブル乾燥表示記号Ｍ３００が付された乾燥処理できない衣類があると、その旨を使用者に知らせることができる。なお、その他の構成及び作用効果は上記した第１実施形態と同様である。
【００８５】
（第３実施形態の変更例１）
上記した第３実施形態では、選択された複数の洗濯表示記号から抽出した洗濯表示記号に対応付けられた洗濯コースと脱水表示記号に対応付けられた洗濯コースとの間で重複する洗濯コースと、乾燥処理できないことを報知する表示とを第３画面に表示することで、第２画面において選択された表示記号に適合したコースを表示し、適合しないコースを第３画面に表示しない場合について説明した。また、上記した第３実施形態では、洗濯コースを選択した後、第２画面において選択された表示記号に対応付けられた行程内容を第４画面に表示し、表示記号に対応付けられていない行程内容を第４画面に表示しない場合について説明した。
【００８６】
この変更例では、制御装置４６は、図１９に例示するように、第２画面において選択された表示記号に適合するコースだけでなく、適合しないコースも併せて第３画面に表示させ、図２１に例示すように、第２画面において選択された表示記号に対応付けられた行程内容だけでなく、表示記号に対応付けられていない行程内容も第４画面に表示させる。
【００８７】
具体的には、図１９に示すように、第２画面において選択された洗濯表示記号Ｍ１４０、Ｍ１３１、脱水表示記号Ｍ４４５、及びタンブル乾燥表示記号Ｍ３２０、Ｍ３００に適合する「標準」、「スピーディ」、「デリケート」及び「毛布」の洗濯コースは、網掛け表示などハイライト表示され、第２画面において選択された表示記号に適合しないコース、ここでは、洗濯コースの「つけおき」と、乾燥コースの「標準」、「アイロン」、「念入り」、「タイマー」、及び「そのまま」は、細い線や薄い色で表示され表示記号に適合するコースより目立たないように表示される。
【００８８】
そして、使用者が、第２画面において選択された表示記号に適合するコースを選択した後、「設定」ボタンＢ５をタッチ操作すると、制御装置４６は選択したコースを設定する。
【００８９】
一方、使用者が、第２画面において選択された表示記号に適合しないコース、例えば、洗濯コースの「つけおき」を選択すると、制御装置４６は、図２０に示すように、選択された「つけおき」を反転表示などハイライト表示するとともに、「衣類に付された表示記号の取扱いと合っていないため衣類が傷むおそれがあります。」などのように使用者が選択したコースが表示記号に適合しないことを報知する表示を第３画面に表示させる。
【００９０】
そして、使用者が「キャンセル」ボタンＢ６をタッチ操作すると、図１９に示す第３画面に戻って制御装置４６は使用者からの洗濯コースの選択を待ち、使用者が「設定」ボタンＢ５をタッチ操作すると、制御装置４６は選択したコースを設定する。
【００９１】
そして、選択したコースが設定されると、図２１に示すように、第４画面として表示記号Ｍ１３１に対応付けられた行程内容（ここでは、「やや強」「標準」「やや弱」及び「弱」の水流）は、網掛け表示などハイライト表示され、表示記号Ｍ１３１に対応付けられていない行程内容（ここでは、「強」の水流と、「洗い」及び「すすぎ１」のふろ水）は、細い線や薄い色で表示され、表示記号Ｍ１３１に対応付けられた行程内容より目立たないように表示される。
【００９２】
そして、使用者が、表示記号Ｍ１３１に対応付けられた水流を選択した後、「設定」ボタンＢ５をタッチ操作すると、制御装置４６は、選択した水流を設定した後、図１２に示す第５画面を操作表示部２５に表示し、使用者からのタッチ操作を待つ。
【００９３】
一方、使用者が、表示記号Ｍ１３１に対応付けられていない水流、例えば、「強」の水流を選択すると、制御装置４６は、図２２に示すように、選択された「強」を反転表示などハイライト表示するとともに、「衣類に付された表示記号の取扱いと合っていないため衣類が傷むおそれがあります。」などのように使用者が選択した行程内容が表示記号に適合しないことを報知する表示を第４画面に表示させる。
【００９４】
そして、使用者が「キャンセル」ボタンＢ６をタッチ操作すると、図２１に示す第４画面に戻って制御装置４６は使用者からの水流の選択を待ち、使用者が「設定」ボタンＢ５をタッチ操作すると、制御装置４６は選択した水流を設定する。
【００９５】
このような変更例であると、衣類に付された表示記号に適合しないコースや行程内容も実行することができ、使用者の要求を優先させた運転が可能となり使い勝手を向上することができる。また、衣類に付された表示記号に適合しないコースや行程内容も実行する前にその旨を使用者に報知するため、衣類が不意に傷むおそれもない。
【００９６】
（第３実施形態の変更例２）
上記した第３実施形態では、図８に示す第２画面において、洗濯表示記号群ＭＡから洗濯表示記号Ｍ１４０、Ｍ１３１を選択した場合について説明したが、洗濯表示記号群ＭＡから洗濯表示記号Ｍ１００を含む１又は複数の洗濯表示記号を選択すると、図２３に示すように洗濯表示記号Ｍ１００とともに洗濯処理できないことを報知する表示する第９画面を操作表示部２５に表示してもよい。このような変更例であると、洗濯対象の衣類の中に洗濯表示記号Ｍ１００が付された洗濯処理できない衣類があると、その旨を使用者に知らせることができる。
【００９７】
（他の実施形態）
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００９８】
１…洗濯機、５…水槽、６…回転槽、２５…操作表示パネル、２６…入りスイッチ、２７…切りスイッチ、４６…制御装置、４６ａ…メモリ
【図１】
2017123913.tif 000003
【図２】
2017123913.tif 000004
【図３】
2017123913.tif 000005
【図４】
2017123913.tif 000006
【図５】
2017123913.tif 000007
【図６】
2017123913.tif 000008
【図７】
2017123913.tif 000009
【図８】
2017123913.tif 000010
【図９】
2017123913.tif 000011
【図１０】
2017123913.tif 000012
【図１１】
2017123913.tif 000013
【図１２】
2017123913.tif 000014
【図１３】
2017123913.tif 000015
【図１４】
2017123913.tif 000016
【図１５】
2017123913.tif 000017
【図１６】
2017123913.tif 000018
【図１７】
2017123913.tif 000019
【図１８】
2017123913.tif 000020
【図１９】
2017123913.tif 000021
【図２０】
2017123913.tif 000022
【図２１】
2017123913.tif 000023
【図２２】
2017123913.tif 000024
【図２３】
2017123913.tif 000025